(57)【要約】      （修正有）【課題】スポーツ用眼鏡において、レンズに細工し、視線が強制的に左、右、上或いは下等を向くようにし、例えば、ゴルフ等での正しいアドレス・フォームを身に付けられるよう、実運動中にも矯正をし易くした、フォーム矯正用斜視眼鏡の提供。【解決手段】身体、視線及び対象物とのそれぞれの位置、即ちフォームを、例えば、ゴルフ等での正しい視線方向とフォームの最適化を理想的に実現する為に、身に簡便に取付ける、眼鏡に着目し、上、下、右或いは左等方向への斜視を強制的に持たせるように眼鏡自体に細工する事で、必要とする理想の視線を、自然に作り出すことであり、通常眼鏡に無い細工を施しその眼鏡を身に装着し、自己訓練を実運動中にすることを可能にする。【選択図】図１
0003116154.tif 000002
【実用新案登録請求の範囲】
【請求項１】
視線が、見るべき対象位置方向のみになるよう、隙間或いは窓口をレンズに設け、それ以外は眼鏡のレンズを光学的に遮蔽し、視線を強制的に、左、右、上或いは下等に寄せるようにした、スポーツ・フォーム矯正用斜視眼鏡。
【請求項２】
眼鏡のレンズにプリズムを組み込み、光を屈折させることで擬似的対象物を見、顔面を曲げ視線を向かわせるべき方向にする様にする事で、視線を強制的に、左、右、上或いは下等に寄せるようにした、スポーツ・フォーム矯正用斜視眼鏡。
【請求項３】
眼鏡のレンズに視準光学系を有し、それを通し見るべき視線位置に等価的なマークを作り出し、それを、眼鏡をかけた状態で見えるようにし、且つ、それを見透しながら目的物を見ることで、目的物に視線を向かわせる様にし、視線を強制的に、左、右、上或いは下等に寄せるようにした、スポーツ・フォーム矯正用斜視眼鏡。
【請求項４】
以上、請求項１から３に関する手段を実現するために、通常使用眼鏡に後から貼付・加工し同等の斜視機能を持たせるように、別途提供できるようにした眼鏡用付属品。
【考案の詳細な説明】
【技術分野】
【０００１】  本考案はスポーツ等での視線に関わる、正しいフォームを身に付けさせる訓練時に、安価に、且つ間違いの無いフォーム矯正を、安全且つ有効に行えるようにするものであり、特に、ゴルフ等での、顔面位置、視線そして目的物との位置セッティングがフォーム形成に重要な場合、自己学習が出来、且つ、実運動時にも有効なもので、理想フォーム矯正を円滑に果たすに最適な道具を提供することに有る。
【背景技術】
【０００２】  従来は、指導員が見て矯正指導指示したり、鏡、ビデオ等でフォームを見て矯正したり、いろいろ工夫をしているが、それらは一旦、実運動体制に入ると効果が乏しくなり、正しいフォーム、即ち視線が、ずれる事が一般的であり、その矯正には多くの時間と費用がかかり、又個人的な技術感覚による違いが大きく関与する事がある。
【考案の開示】
【考案が解決しようとする課題】
【０００３】  本考案の目的は、簡便で、誰にも使え、且つ、実運動状態でも有効な視線に関わるフォーム矯正効果を自然に持たせうる道具を提供するものである。
【課題を解決する為の手段】
【０００４】  請求項１の考案は、その具体方法として、眼鏡レンズ（度の有る無しに拘らず）を通る光を調節遮蔽し、そのレンズ上、目的物を斜視で見るべき方向位置に窓を開けることで、装着した場合、目的物を見るためには、自然と視線が斜視となり、目的物を真上或いは真正面から見ることなく、上下或いは左右等、斜めから目的物を見た状態での自然なフォームが作りだせる。
【０００５】  請求項２の考案は、眼鏡を通る光を遮蔽せずに、眼鏡レンズ上にプリズムを使い、その眼鏡レンズを透過する光を、屈折させることで、目的物を見るためには、自然と視線が斜視となり、ほぼ通常眼鏡使用状態ながら、目的とする、自然な斜視を作り出し、無意識にフォーム矯正が可能になる。
【０００６】  請求項３の考案は、眼鏡レンズ上、目的物を斜視で見るべき方向位置に、マークとなる然るべき視準光学系を、例えば小型凸レンズ、部分透光着色或いは子穴を設け、また必要なら＋印或は直線等と共に細工し、そのマークを見通して、そこに目的物を見定める事で、同様に、自然な斜視を作り出し、本目的とするフォーム矯正と共に、通常眼鏡として平常時にも使えるようにした、視線方向調整用眼鏡。
【０００７】  以上の、これらの考案は、眼鏡製作時に両方のレンズ或いは片方に組み込むことで、実現できるが、又、シール、三角プリズム、凸レンズ、また後付けレンズ等々の別途付属品として提供し、それを、接着糊等で通常眼鏡に取り付けられるようにした、これら別途提供品で、後で各自取り付けることによって、上記矯正斜視眼鏡を可能にする事も可能になる。
【考案の効果】
【０００８】  請求項１の考案によると、難しい光学的調整なくして、最も簡便／にフォーム矯正が実現できる。
【０００９】  請求項２の考案によると、違和感が多少有るにしても、眼鏡を通しての外界景色も明るく見え、ほぼ、通常眼鏡に近い状態で、使用でき、且つ強制的な視線が作れ、初心者向きに適したものとなる。
【００１０】  請求項３の考案によると、明るく、全く、通常眼鏡での状態で、使用でき、眼鏡を通しての外界景色にも違和感がなく、より熟練者向きに適したもので、且つ実戦にも活用できる。
【００１１】  請求項４の考案によると、安価に且つ、自分の現在使用する慣れた眼鏡に適用することが可能になる。
【考案を実施するための最良の形態】
【００１２】  身体、視線及び対象物とのそれぞれの位置、即ちフォームを理想的に実現する為に、本考案を実施するに付いて、身に簡便に取付ける、眼鏡に着目する事と、通常、正視状態を主眼とする眼鏡自体に上下或いは右左等方向へ斜視させる事を強制的に持たせるようにする事で、必要とする理想の視線を、無意識のうちに作り出すことであり、これらの考案で細工された眼鏡を身に装着し、実運動訓練することで、簡便、且つ、安価で、有効な、フォーム矯正を、指導員なしで即実現できる事から、ゴルフ等での正しい視線方向とフォームの最適化を実運動時に自己訓練で行え、最適フォームを自然に構築する事に繋げる、最良の形態となる。
【実施例】
【００１３】  以下、添付図に従って夫々の実施例を説明する上で、まず、眼鏡を用いると言う事と、その眼鏡に細工し強制的に斜視状態を作り出すこと、それが、自然に且つ実運動時にフォーム矯正を行える事を、図１にて説明するが、正視状態を主とする通常眼鏡では視線１ａは顔面に直角即ち正面を向くが、強制的に上、下、或いは左、右寄り等に斜視状態を作り出すよう細工した眼鏡２を用いる事で、目的物を見るために自然と視線１ｂに沿って顔面がねじれ、顔面ライン３のねじりを必要とするフォーム形成につながる。【００１４】  具体実施例その１として、図２に示すように、眼鏡のレンズを通る光を遮蔽物５で遮蔽し、一部レンズ端に小窓６を設け目的物を見るために、その窓を通してのみしか、目的物を見る事が出来ない事から、目的とする、フォーム矯正のための斜視の条件を作り出し、その位置を調整することで、最適条件を作り出す。【００１５】  具体実施例その２として、図３に示すように、眼鏡のレンズを通る光がプリズム７を通して屈折する事から、目的物の位置が擬似的にずれ、必要とする斜視状態を作り出し、それを補正する為に、顔面ライン３が必然的にねじり、フォーム矯正手段となる。【００１６】  具体実施例その３として、図４に示すように、眼鏡のレンズ上に、例えば、小さな視準光学系、例えば凸レンズ部８を必要とする斜視位置に設け、それをマークにし、それを通して目的物を見るようにするが、より明確にするため、必要に応じて、なお且つ、そのマークに、例えば＋印を設け、目的物を、その＋印を通してみる事で、より効果的に、顔面ライン３がねじれ、必要とする斜視状態を作り出し、フォーム矯正をする。  その他視準光学系としては単純には小穴、部分透光着色、或は、ラインを設ける等してその小穴部、部分透光着色部、或は、ライン間を通し見ることも有効である。【００１７】  以上各種方法で、斜視条件を、強制的に眼鏡上に作り顔面ラインを必要最適条件に持っていき、フォーム矯正をさせる事が出来るが、夫々、加工レンズ後付部品、窓付きシール、糊付きプリズム、或いは凸レンズ等々を、別途、後付加工品セットとして、供給をすることによっても、それを持って各自通常眼鏡に後で取り付けることで、目的とする、眼鏡に斜視条件を作り出せ、目的を達成できる。
【産業上の利用可能性】
【００１８】  本考案による、細工を施した眼鏡を用いる事により、スポーツ等での訓練時に、対象物と視線と体の向きにかかわる、正しいフォームを自然に身に付けさせるのに有用な道具で、簡便、安価で、且つ、間違いの無いフォーム矯正を、安全有効に行えるように出来る事が可能になり、特に、ゴルフ等での、顔面位置、視線そして目的物との位置セッティングがフォーム形成に重要な場合、自己学習が出来、且つ、実運動時にも有効な道具となり、円滑な理想フォーム矯正が短時間に効率よく可能になるものである。
【図面の簡単な説明】
【００１９】
【図１】  本考案による、斜視条件説明図。
【図２】  本考案、請求項１による、中心を外した小窓による斜視条件図。
【図３】  本考案、請求項２による、プリズムを用い、斜視条件を作り出す事を示す図。
【図４】  本考案、請求項３による、中心を外した位置に視準光学系としての凸レンズ等を設け、斜視条件を作る事を示す図。
【符号の説明】
【００２０】１ａ  通常視線
１ｂ  強制的に方向を曲げられた視線（斜視）
２    視線を曲げるように細工された眼鏡
３    顔面方向を示すライン
４    通常眼鏡
５    塗料等での遮蔽物
６    目的物を通してみる小窓
７    目線を屈折させる為のプリズム
８    凸レンズ等の視準光学系目印を付けた場合
【図１】
0003116154.tif 000003
【図２】
0003116154.tif 000004
【図３】
0003116154.tif 000005
【図４】
0003116154.tif 000006
【手続補正書】
【提出日】平成17年8月2日(2005.8.2)
【手続補正１】
【補正対象書類名】実用新案登録請求の範囲
【補正対象項目名】全文
【補正方法】変更
【補正の内容】
【実用新案登録請求の範囲】
【請求項１】
視線が、見るべき対象位置方向のみになるよう、隙間或いは窓口をレンズに設け、それ以外は眼鏡のレンズを光学的に遮蔽し、視線を強制的に、左、右、上或いは下等に寄せるようにした、スポーツ・フォーム矯正用斜視眼鏡。
【請求項２】
眼鏡のレンズにプリズムを組み込み、光線を屈折させることで擬似的対象物を見、顔面を曲げ視線を向かわせるべき方向にする様にする事で、視線を強制的に、左、右、上或いは下等に寄せるようにした、スポーツ・フォーム矯正用斜視眼鏡。
【請求項３】
眼鏡のレンズに視準光学系を有し、それを通し見るべき視線位置に等価的なマークを作り出し、それを、眼鏡をかけた状態で見えるようにし、且つ、それを見透しながら目的物を見ることで、目的物に視線を向かわせる様にし、視線を強制的に、左、右、上或いは下等に寄せるようにした、スポーツ・フォーム矯正用斜視眼鏡。
【請求項４】
以上、請求項１から３に述べるスポーツ・フォーム矯正用斜視機能を実現させるために、通常使用眼鏡に後から貼付・取付加工し同等の斜視機能を持たせるべく、別途提供できるようにした眼鏡用付属品で、光学的遮蔽シール、光線を屈折させる三角プリズム、マーク用凸レンズ、等々の別途付属品として提供し、その何れかを、接着糊等で通常眼鏡に取り付けられるようにする構造を有するもの、またクリップ・レンズに請求項１から３の何れかの加工をしクリップで後付する様にした眼鏡用付属品。